(57)【要約】【課題】一時的なコンセントの抜き差しが行われた場合に、無駄な排水作業を不要にできる電解水散布装置を提供すること。【解決手段】電解水散布装置Ｄの差込プラグがコンセントに差され、制御部３０への通電が開始されたときに、制御部３０は排水表示処理を実行する。排水表示処理では、渇水検知部３１が貯水部１４内の非渇水状態を検知した場合に（Ｓ１：Ｙｅｓ）、排水表示部２１を介して排水を促がす旨の表示を行う（Ｓ２）。一方、排水表示部２１の表示に対して非排水動作受付部２６が、貯水部１４の排水を行うことなく電解部１７による電解水の生成動作を可能とする旨の入力を受け付けた場合には（Ｓ３：Ｙｅｓ）、貯水部１４の排水を行うことなく電解水生成部５による電解水の生成動作を可能とする（Ｓ６）。【選択図】図７
2019025218.tif 000002
【特許請求の範囲】
【請求項１】
水を貯めるための貯水部と当該貯水部内の水を電気分解して電解水を生成する電解部とを有する電解水生成部と、
前記電解水生成部が生成した電解水を散布する散布部と、
前記貯水部が渇水状態であるかまたは渇水状態ではない非渇水状態であるかを検知する渇水検知部と、
前記貯水部の排水を促がす旨の表示を行う排水表示部と、
前記排水表示部による排水を促がす旨の表示時に前記貯水部の排水を行うことなく前記電解部による電解水の生成動作を可能とする旨の入力を受け付ける非排水動作受付部と、
制御部と、を備え、
前記制御部は、
当該制御部への通電開始時に前記渇水検知部が前記非渇水状態を検知した場合には前記排水表示部を介して排水を促がす旨の表示を行い、
前記排水表示部の表示に対して前記非排水動作受付部が前記入力を受け付けた場合には前記貯水部の排水を行うことなく前記電解水生成部による電解水の生成動作を可能とする電解水散布装置。
【請求項２】
前記制御部は、前記排水表示部を介して排水を促す旨の表示を行った場合に、前記電解水生成部による電解水の生成動作を可能としない請求項１記載の電解水散布装置。
【請求項３】
前記貯水部を格納する本体ケースと、
前記本体ケースに格納された前記貯水部への接触を制限する開閉部と、を備え、
前記非排水動作受付部は、
前記開閉部が前記貯水部への接触を可能とする開状態の場合にのみ前記入力を受け付けることができる位置に設けられた請求項１又は２記載の電解水散布装置。
【請求項４】
前記貯水部からの排水を検知する排水検知部を備え、
前記制御部は、
前記排水検知部による排水の検知ができない場合であって前記非排水動作受付部への前記入力が無い場合には前記電解部による電解水の生成動作を可能としない請求項１から３のいずれかに記載の電解水散布装置。
【請求項５】
前記貯水部内の水の導電率を検知する導電率検知部を備え、
前記制御部は、
前記導電率検知部が検知した導電率が導電率閾値よりも大きい場合には前記非排水動作受付部による前記入力を受け付けない請求項１から４のいずれかに記載の電解水散布装置。
【請求項６】
前記貯水部に給水を行う給水タンクと、
前記給水タンクの水の量を検知する水量検知部を備え、
前記制御部は、
前記水量検知部が検知した水量が水量閾値よりも小さい場合には前記非排水動作受付部による前記入力を受け付けない請求項１から５のいずれかに記載の電解水散布装置。
【請求項７】
吸気口と吹出口とを有する本体ケースを備え、
前記散布部は、
前記貯水部内の電解水に浸漬させて保水し前記吸気口から流入した空気に接触するフィルター部と、
前記フィルター部に接触した空気を前記吹出口に導く送風部と、を備えた請求項１記載の電解水散布装置。
【発明の詳細な説明】
【技術分野】
【０００１】
本発明は、電解水を生成して散布する電解水散布装置に関する。
【背景技術】
【０００２】
空気中の細菌、真菌、ウイルス、臭い等の除去（不活性化を含む）を行うために、貯水部に貯められた水を電気分解して次亜塩素酸を含む電解水を生成し、散布する電解水散布装置が知られている（特許文献１）。
【０００３】
従来、この種の電解水散布装置は、差込プラグがコンセントへ差されたときに、ユーザに対して貯水部に貯められた水の排水を要求していた。これは、次亜塩素酸による吸気中の細菌の除去等を行う場合に、貯水部に貯められた水の状態が重要であるためである。
【０００４】
即ち、電解水散布装置が長期間、差込プラグをコンセントへ差さないまま放置されていた場合、貯水部に貯められた水において、電解水の生成に必要な塩化物イオンの濃度が低下していたり、当該水が汚れていたりする可能性がある。そのような水を使用して電気分解を行うと、所望の量の次亜塩素酸が生成できなかったり、電解部の電極が汚れ、電極の寿命が短くなったりする。
【０００５】
そこで、電解水散布装置は、差込プラグがコンセントへ差された場合に、上述した通り、ユーザに対して水の排水を要求し、水の排水が行われるまで、電解水の生成を行わないようにしていた。
【先行技術文献】
【特許文献】
【０００６】
【特許文献１】特開２００８−２９５７４号公報
【発明の概要】
【発明が解決しようとする課題】
【０００７】
しかしながら、従来の電解水散布装置は、例えば、装置の移動等に伴って一時的に差込プラグをコンセントから抜いた場合であっても、差込プラグを再びコンセントへ差したタイミングでユーザに対して貯水部に貯められた水の排水を要求していた。よって、貯水部に貯められた水の状態が良くても、ユーザは無駄な排水作業を行わなければならず、ユーザに対する利便性が悪かった。
【０００８】
本発明は、上記課題を解決するためになされたものであり、一時的なコンセントの抜き差しが行われた場合に、無駄な排水作業を不要にできる電解水散布装置を提供することを目的とする。
【課題を解決するための手段】
【０００９】
この目的を達成するために、本発明の電解水散布装置は、以下を特徴とするものである。即ち、本発明の電解散布装置は、電解水生成部と、散布部と、渇水検知部、排水表示部と、非排水動作受付部と、制御部と、を備える。電解水生成部は、水を貯めるための貯水部と当該貯水部内の水を電気分解して電解水を生成する電解部とを有する。散布部は、電解水生成部が生成した電解水を散布する。渇水検知部は、貯水部が渇水状態であるか又は渇水状態ではない非渇水状態であるかを検知する。排水表示部は、貯水部の排水を促がす旨の表示を行う。非排水動作受付部は、排水表示部による排水を促がす旨の表示時に貯水部の排水を行うことなく電解部による電解水の生成動作を可能とする旨の入力を受け付ける。制御部は、当該制御部への通電開始時に渇水検知部が非渇水状態を検知した場合には排水表示部を介して排水を促がす旨の表示を行い、排水表示部の表示に対して非排水動作受付部が前記入力を受け付けた場合には貯水部の排水を行うことなく電解水生成部による電解水の生成動作を可能とする。
【発明の効果】
【００１０】
本発明の電解水散布装置によれば、排水表示部による排水を促がす旨の表示時に貯水部の排水を行うことなく電解部による電解水の生成動作を可能とする旨の入力を受け付ける非排水動作受付部を備えている。そして、制御部は、当該制御部への通電開始時に渇水検知部が非渇水状態を検知した場合には排水表示部を介して排水を促がす旨の表示を行い、排水表示部の表示に対して非排水動作受付部が前記入力を受け付けた場合には貯水部の排水を行うことなく電解水生成部による電解水の生成動作を可能とする。これにより、一時的なコンセントの抜き差しが行われ、排水表示部による排水を促がす旨の表示が行われた場合に、ユーザが、貯水部の排水を行うことなく電解部による電解水の生成動作を可能とする旨の入力をすれば、貯水部の排水を行うことなく電解部による電解水の生成動作が可能となる。よって、一時的なコンセントの抜き差しが行われた場合に、無駄な排水作業を不要にできるという効果を得ることができる。
【図面の簡単な説明】
【００１１】
【図１】本発明の第１実施形態に係る電解水散布装置の斜視図である。
【図２】同電解水散布装置の斜視図である。
【図３】（ａ）は、表示部を模式的に示した模式図であり、（ｂ）は、扉内操作部を模式的に示した模式図である。
【図４】同電解水散布装置の断面図である。
【図５】同電解水散布装置の断面図である。
【図６】同電解水散布装置の機能ブロック図である。
【図７】同電解水散布装置の制御部により実行される排水表示処理を示すフローチャートである。
【図８】本発明の第２実施形態に係る電解水散布装置の機能ブロック図である。
【図９】同電解水散布装置の制御部により実行される排水表示処理を示すフローチャートである。
【図１０】本発明の第３実施形態に係る電解水散布装置の機能ブロック図である。
【図１１】同電解水散布装置の制御部により実行される排水表示処理を示すフローチャートである。
【発明を実施するための形態】
【００１２】
以下、本発明を実施するための形態について添付図面を参照して説明する。
【００１３】
（第１実施形態）
まず、図１〜７を参照して、本発明の第１実施形態に係る電解水散布装置Ｄについて説明する。図１は、電解水散布装置Ｄの斜視図であり、電解水散布装置Ｄを前面側から見た図である。図２は、電解水散布装置Ｄの斜視図であり、図１の開閉部３を開いた状態で電解水散布装置Ｄを前面側から見た図である。
【００１４】
図１、２に示す通り、電解水散布装置Ｄは、略箱形状の本体ケース１を備え、本体ケース１の両側面には略四角形状の吸気口２を有している。本体ケース１の天面には、開閉式の吹出口６が設けられている。図１、２では、吹出口６は閉じた状態である。
【００１５】
本体ケース１の天面側前面には、表示部２０が設けられている。図３（ａ）は、その表示部２０を模式的に示した模式図である。表示部２０は、点灯状態によって、電解水散布装置Ｄの状態を示したり、ユーザに各種指示を行ったりするためのランプが複数設けられており、例えば、排水表示部２１と、排水解除無効表示部２２と、を備えている。
【００１６】
排水表示部２１は、後述する貯水部１４の排水を促がす旨の表示を行うものである。排水表示部２１の点灯状態によって、ユーザに対して、貯水部１４の排水を促がすことができる。
【００１７】
排水解除無効表示部２２は、ユーザによる排水解除操作が無効とされている旨の表示を行うものである。排水解除無効表示部２２の点灯状態により、ユーザに対して、排水解除操作が無効とされていることを通知できる。この排水解除無効表示部２２による表示が行われている間、ユーザが後述する排水解除操作を行っても、その操作は無効とされる。
【００１８】
図２に戻り、本体ケース１の前面側から見て、右側の側面（本体ケース１の一方側の側面）である第１の本体側面１Ａには、開閉可能な開閉部３が設けられている。本体ケース１の一方側の側面の吸気口２は、開閉部３に設けられている。開閉部３を開くと、縦長四角形状の開口４が現れる。開口４から、後述する貯水部１４、給水部１５、錠剤投入ケース１８ａ等が取り出し可能に構成されている。
【００１９】
また、本体ケース１内には、開口４よりユーザが操作可能な扉内操作部２５が設けられている。図３（ｂ）は、その扉内操作部２５を模式的に示した模式図である。扉内操作部２５には、ユーザが電解水散布装置Ｄに対して各種入力をするための操作ボタンが複数設けられており、例えば、非排水動作受付部２６が設けられている。
【００２０】
非排水動作受付部２６は、排水表示部２１による貯水部１４の排水を促がす旨の表示がなされた場合に、その貯水部１４の排水を行うことなく後述の電解部１７による電解水の生成動作を可能とする旨のユーザからの入力を受け付けるボタンにより構成される。
【００２１】
ここで、上述した通り、貯水部１４は、本体ケース１に格納され、開閉部３によって、本体ケース１に格納された貯水部１４への接触が制限される。即ち、開閉部３を開かないと、貯水部１４の状態を確認したり、排水を行ったりすることができない。一方で、非排水動作受付部２６は、開閉部３が貯水部１４への接触を可能とする開状態の場合にのみ入力を受け付けることができる位置に設けられている。よって、ユーザは、開口４から貯水部１４の状態を確認し、貯水部１４に貯められた水が継続して使用できるかどうかを判断したうえで、非排水動作受付部２６を操作できる。これにより、貯水部１４に貯められた水の状態が悪い状態にあるにもかかわらず、ユーザの思い込みによって非排水動作受付部２６が操作されることを抑制できる。
【００２２】
図４は、電解水散布装置Ｄの正面視中央部分を縦方向に切った断面図であり、電解水散布装置Ｄを右側から見た図である。図５は、電解水散布装置Ｄの正面視右側を縦方向に切った断面図であり、電解水散布装置Ｄにおける右側から見た図である。図６は、電解水散布装置Ｄの主な機能をブロックで示した機能ブロック図である。
【００２３】
図２、図４、図５、図６に示すように、電解水散布装置Ｄには、電解水生成部５と、給水部１５と、電解促進錠剤投入部１８と、散布部１９と、風路８と、制御部３０とが備えられている。電解水生成部５は、貯水部１４と、電解部１７とを備えている。
【００２４】
貯水部１４は、天面を開口した箱形状をしており、水を貯水できる構造となっている。貯水部１４は、本体ケース１の下部に配置され、本体ケース１から水平方向にスライドして着脱可能となっており、開口４から取り出すことができる。貯水部１４は、給水部１５から供給される水を貯水する。
【００２５】
貯水部１４は、渇水検知部３１と、排水検知部３２を備えている。渇水検知部３１は、貯水部１４が渇水状態であるか又は渇水状態ではない非渇水状態であるかを検知する。具体的には、渇水検知部３１は、貯水部１４内の水位が規定値以下となった場合に貯水部１４内が渇水状態にあると検知する。
【００２６】
排水検知部３２は、貯水部１４からの排水を検知する。具体的には、排水検知部３２は、貯水部１４内が非渇水状態にあった状態から渇水状態となった場合に、貯水部１４の排水が行われたことを検知する。なお、ユーザが排水を行ったことを入力するための操作ボタンを電解水散布装置Ｄに設け、排水検知部３２は、その操作ボタンが操作された場合に、貯水部１４の排水が行われたと検知してもよい。
【００２７】
電解部１７は、電極部材（図示せず）を備えており、この電極部材が貯水部１４内の水に浸かるように設置される。電解部１７は、この電極部材に通電することにより、貯水部１４内の塩化物イオンを含む水を電気化学的に電気分解し、活性酸素種を含む電解水を生成させる。ここで、活性酸素種とは、通常の酸素よりも高い酸化活性を持つ酸素分子と、その関連物質のことである。例えば、活性酸素種には、スーパーオキシドアニオン、一重項酸素、ヒドロキシラジカル、或いは過酸化水素といった所謂狭義の活性酸素に、オゾン、次亜塩素酸（次亜ハロゲン酸）等といった所謂広義の活性酸素が含まれる。
【００２８】
電解部１７は、電極部材への電気分解するための通電を行う通電時間と、その通電停止後の時間、つまり通電を行っていない時間である非通電時間を一周期として、その一周期を複数回繰り返すことで、電解水を生成する。電極部材に対し、非通電時間を設けることで、電極部材の寿命を延ばすことができる。なお、非通電時間に対して通電時間を長くすれば、一周期当たりにおいてより多くの量の活性酸素種を含む電解水が生成される。また通電時間に対して非通電時間を長くすれば、一周期当たりの活性酸素種の生成が抑えられる。さらに、通電時間における電力量を大きくすれば、より多くの量の活性酸素種を含む電解水が生成される。
【００２９】
給水部１５は、本体ケース１内部の正面視右側の側面に設置され、貯水部１４から着脱可能な構造となっており、開口４から取り出すことができる。給水部１５は、貯水部１４の底面に設けられたタンク保持部１４ａに装着されている。給水部１５は、水を貯水する給水タンク１５ａと、給水タンク１５ａの開口（図示せず）に設けられた蓋１５ｂとを備えている。蓋１５ｂの中央には、開閉部（図示せず）が設けられており、この開閉部が開くと、給水タンク１５ａ内の水が、貯水部１４へ供給される。
【００３０】
具体的には、給水タンク１５ａの開口を下向きにして、給水部１５を貯水部１４のタンク保持部１４ａに取り付けると、タンク保持部１４ａによって開閉部が開く。つまり、水を入れた給水部１５がタンク保持部１４ａに取り付けられると、開閉部が開いて貯水部１４に給水され、貯水部１４内に水が溜まる。貯水部１４内の水位が上昇して蓋１５ｂのところまで到達すると給水部１５の開口が水封されるので給水が停止し、給水部１５の内部には水が残り、貯水部１４内の水位が下がった場合に都度、給水タンク１５ａ内部の水が貯水部１４に給水される。即ち、貯水部１４内の水位は一定に保たれる。
【００３１】
なお、電解水散布装置Ｄは、給水部１５として給水タンク１５ａを有していなくてもよい。この場合は、電解水散布装置Ｄに対して、水を供給するラインを水道水よりひき、貯水部１４内の水位が下がった場合に、貯水部１４内の水位が所定位置に上昇するまで水道水を供給するようにしてもよい。
【００３２】
電解促進錠剤投入部１８は、錠剤投入ケース１８ａと、錠剤投入ケース１８ａ内に設けた錠剤投入部材（図示せず）と、錠剤投入ケース１８ａの上部に着脱自在に設けられた錠剤投入カバー１８ｂとを備えている。錠剤投入ケース１８ａは、開口４から取り出し可能に構成される。ユーザは、取り出した錠剤投入ケース１８ａから錠剤投入カバー１８ｂを外すことで、ユーザが錠剤投入ケース１８ａ内に電解促進錠剤を装填できる。
【００３３】
電解促進錠剤投入部１８は、電解促進錠剤を貯水部１４へ投入する場合に、錠剤投入部材を回動させる。錠剤投入部材が回動すると、電解促進錠剤が錠剤投入ケース１８ａの底面の落下開口（図示せず）より貯水部１４に落下する。電解促進錠剤投入部１８は、錠剤投入ケース１８ａから貯水部１４に落下された電解促進錠剤の個数をカウントし、錠剤投入ケース１８ａから貯水部１４に電解促進錠剤が一錠落下したと判断すると、錠剤投入部材の回動を停止する。この電解促進錠剤が貯水部１４内の水に溶け込むことにより、貯水部１４の水が塩化物イオンを含む水が生成される。なお、電解促進錠剤の一例は、塩化ナトリウムである。
【００３４】
なお、電解水散布装置Ｄは、電解促進錠剤投入部１８を有していなくてもよい。この場合は、電解水散布装置Ｄが、ユーザに対して電解促進錠剤の投入を指示する報知を表示や発音によって行い、ユーザに電解促進錠剤を直接貯水部１４へ投入させるようにしてもよい。
【００３５】
散布部１９は、送風部７と、フィルター部１６とを備える。送風部７は、本体ケース１の中央部に設けられ、モータ部９と、モータ部９により回転するファン部１０と、それらを囲むスクロール形状のケーシング部１１とを備えている。モータ部９は、ケーシング部１１に固定されている。
【００３６】
ファン部１０は、シロッコファンであり、モータ部９から水平方向に延びた回転軸９ａに固定され、モータ部９は、ケーシング部１１に固定されている。モータ部９の回転軸９ａは、本体ケース１の前面側から背面側に延びている。ケーシング部１１は、ケーシング部１１の本体ケース１における上面側に吐出口１２を備え、ケーシング部１１の本体ケース１における背面側に吸込口１３を有している。送風部７の風量は、温度や湿度、ガスの臭いレベルに応じて、風量単位時間（例えば、５分）毎に決定される。決定された風量に基づき、モータ部９の回転量が制御される。
【００３７】
フィルター部１６は、貯水部１４に貯水された電解水と、送風部７によって本体ケース１内に流入した室内空気とを接触させる部材である。フィルター部１６は、円筒状に構成され、円周部分に空気が流通可能な孔を備えたフィルター１６ａを配置し、その一端が貯水部１４に貯水された電解水に浸漬され、保水されるように、フィルター１６ａの中心軸を回転中心として貯水部１４に回転自在に内蔵されている。そして、フィルター部１６は、駆動部（図示しない）により回転され、電解水と室内空気を連続的に接触させる構造となっている。
【００３８】
風路８は、吸気口２と吹出口６とを連通し、吸気口２から順に、フィルター部１６、送風部７、吹出口６を備えている。モータ部９によってファン部１０が回転すると、吸気口２から吸い込まれ風路８内に入った外部の空気は、順に、フィルター１６ａ、送風部７、吹出口６を介して、電解水散布装置Ｄの外部へ吹き出される。これにより、貯水部１４にて生成された電解水が外部へ散布される。なお、電解水散布装置Ｄは、必ずしも電解水そのものを撒くものでなくてもよく、結果的に生成した電解水由来（揮発を含む）の活性酸素種を散布するものであっても電解水散布に含まれる。
【００３９】
制御部３０は、例えば、本体ケース１（図１参照）の天面に設けられた操作パネルの裏側に設けられ、電解水散布装置Ｄの制御を行う。制御部３０は、電解水散布装置Ｄの差込プラグがコンセントに差され、制御部３０への通電が開始されると、排水表示処理を実行する。
【００４０】
図７は、この排水表示処理を示すフローチャートである。この排水表示処理では、まず、渇水検知部３１の検知結果に基づいて、貯水部１４が渇水状態であるか又は非渇水状態であるかを判断する（Ｓ１）。その結果、貯水部１４が非渇水状態にある場合は（Ｓ１：Ｙｅｓ）、排水表示処理では、排水表示部２１による貯水部１４の排水を促がす旨の表示を行う（Ｓ２）。このとき、排水表示処理は、電解部１７による電解水の生成動作を可能としない。これにより、貯水部１４の水が悪い状態で電解部１７による電解水の生成動作が行われることを抑制できる。
【００４１】
次いで、排水表示処理では、非排水動作受付部２６が操作され、貯水部１４の排水を行うことなく電解部１７による電解水の生成動作を可能とする旨の入力が受け付けられたかを判断する（Ｓ３）。その結果、非排水動作受付部２６への操作がなく、前記入力が受け付けられていない場合は（Ｓ３：Ｎｏ）、排水表示処理では、次いで、排水検知部３２の検知結果に基づいて、排水の実施がありか否かを判断する（Ｓ４）。
【００４２】
その結果、排水表示処理では、排水の実施がなければ（Ｓ４：Ｎｏ）、Ｓ３の処理に戻り、排水の実施があれば（Ｓ４：Ｙｅｓ）、排水表示部２１の表示を消灯して（Ｓ５）、Ｓ６の処理へ移行し、通常動作の制御を行って、電解水の生成動作を可能とする。
【００４３】
一方、Ｓ３の判断の結果、非排水動作受付部２６への操作があり、貯水部１４の排水を行うことなく電解部１７による電解水の生成動作を可能とする旨の入力が受け付けられた場合は（Ｓ３：Ｙｅｓ）、排水表示処理では、Ｓ４の処理をスキップして、Ｓ５の処理へ移行する。そして、排水表示処理では、Ｓ５の処理にて、排水表示部２１の表示を消灯し（Ｓ５）、Ｓ６の処理へ移行して、通常動作の制御を行って、電解水の生成動作を可能とする。
【００４４】
また、貯水部１４が渇水状態にある場合は（Ｓ１：Ｎｏ）、貯水部１４の排水を促がす必要がないため、Ｓ６の処理へ移行して通常動作の制御を行い、電解水の生成動作を可能とする。
【００４５】
以上の通り、第１実施形態に係る電解水散布装置Ｄでは、制御部３０が排水表示処理を実行することにより、以下の作用効果がある。即ち、電解水散布装置Ｄの差込プラグがコンセントに差され、制御部３０への通電が開始されたときに、渇水検知部３１が貯水部１４内の非渇水状態を検知した場合には、排水表示部２１を介して排水を促がす旨の表示を行う。一方、排水表示部２１の表示に対して非排水動作受付部２６が、貯水部１４の排水を行うことなく電解部１７による電解水の生成動作を可能とする旨の入力を受け付けた場合には、貯水部１４の排水を行うことなく電解水生成部５による電解水の生成動作を可能とする。
【００４６】
これにより、一時的なコンセントの抜き差しが行われ、排水表示部２１による排水を促がす旨の表示が行われた場合に、ユーザが、貯水部１４の排水を行うことなく電解部１７による電解水の生成動作を可能とする旨の入力をすれば、貯水部１４の排水を行うことなく電解部１７による電解水の生成動作が可能となる。よって、一時的なコンセントの抜き差しが行われた場合に、無駄な排水作業を不要にできるという効果を得ることができる。
【００４７】
また、第１実施形態に係る電解水散布装置Ｄでは、制御部３０が排水表示処理を実行することにより、排水検知部３２による排水の検知ができない場合であって非排水動作受付部２６への入力が無い場合には、Ｓ３及びＳ４の処理をループし続ける。これにより、制御部３０は、電解部１７による電解水の生成動作を可能としない。これにより、貯水部１４の水が悪い状態で電解水の生成が行われることで、所望の量の活性酸素種を生成できなかったり、電極部材に汚れが付着して、電解部１７の寿命が短くなったりすることを抑制できる。
【００４８】
（第２実施形態）
次いで、図８及び図９を参照して、本発明の第２実施形態に係る電解水散布装置Ｄについて説明する。第２実施形態に係る電解水散布装置Ｄは、第１実施形態に係る電解水散布装置Ｄと比して、貯水部１４の水が汚れている可能性がある場合に、非排水動作受付部２６への入力を無効とする点で相違する。
【００４９】
以下、第２実施形態に係る電解水散布装置Ｄについて、第１実施形態に係る電解水散布装置Ｄと相違する点を中心に説明する。第１実施形態に係る電解水散布装置Ｄと同一の構成については、同一の符号を付し説明を省略する。
【００５０】
図８は、第２実施形態に係る電解水散布装置Ｄにおける電解水生成部５の詳細な機能をブロックで示した機能ブロック図である。貯水部１４には、導電率検知部３３が設けられている。導電率検知部３３は、貯水部１４内の水の導電率を検知する。
【００５１】
図９は、電解水散布装置Ｄの差込プラグがコンセントに差され、制御部３０への通電が開始されたときに制御部３０により実行される排水表示処理を示すフローチャートである。この排水表示処理が、第１実施形態に係る排水表示処理と相違する点は、Ｓ２の排水表示部２１による貯水部１４の排水を促がす旨の表示を行う処理のち、Ｓ１１の処理が実行される点である。
【００５２】
具体的には、Ｓ１１の処理では、導電率検知部３３の検知結果に基づいて、貯水部１４内の水の導電率が導電率閾値以下かを判断する（Ｓ１１）。その結果、当該導電率が導電率閾値以下である場合は（Ｓ１１：Ｙｅｓ）、排水表示処理では、第１実施形態と同じＳ３〜Ｓ６の処理を実行する。
【００５３】
一方、Ｓ１１の処理の結果、貯水部１４内の水の導電率が導電率閾値を超えている場合は（Ｓ１１：Ｎｏ）、排水表示処理では、非排水動作受付部２６による入力の受け付けを無効とし、また、その旨を排水解除無効表示部２２に表示する（Ｓ２２）。
【００５４】
そして、排水表示処理では、排水検知部３２の検知結果に基づいて、排水の実施がありか否かを判断し（Ｓ１３）、排水の実施がなければ（Ｓ１３：Ｎｏ）、Ｓ１３の処理をループし続ける。一方、Ｓ１３の判断の結果、排水の実施があれば（Ｓ１３：Ｙｅｓ）、排水表示処理は、排水解除無効表示部２２による表示を消灯する排水解除操作無効の解除処理をして（Ｓ１４）、Ｓ５の処理へ移行する。
【００５５】
以上の通り、第２実施形態に係る電解水散布装置Ｄでは、貯水部１４内の水の導電率が高い場合、貯水部１４の排水を行うことなく電解部１７による電解水の生成動作を可能とする旨の入力を受け付ける非排水動作受付部２６の入力を、受け付けなくすることができる。ここで、水の導電率が高い場合は、貯水部１４内の水が汚れている可能性がある。よって、このような場合は、ユーザに対して必ず排水作業を行わせることができるので、貯水部１４内の水の状態を確実によくすることができる。従って、電解水散布装置Ｄの性能を確保できる。
【００５６】
なお、Ｓ１１の処理において、導電率検知部３３の検知結果に基づいて、貯水部１４内の水の導電率が導電率閾値以下かを判断したが、貯水部１４内の水の導電率が導電率閾値未満かを判断してもよい。
【００５７】
また、第２実施形態では、貯水部１４内の水の導電率が導電率閾値を超えた場合に、非排水動作受付部２６の入力を受け付けないようにしたが、非排水動作受付部２６の入力が受け付けられた場合に、貯水部１４内の水の導電率が導電率閾値を超えていれば、すぐに、貯水部１４の排水を促がす旨の表示を排水表示部２１にて行うようにしてもよい。これによっても、第２実施形態の電解水散布装置Ｄと同様の効果を得ることができる。
【００５８】
（第３実施形態）
次いで、図１０及び図１１を参照して、本発明の第３実施形態に係る電解水散布装置Ｄについて説明する。第３実施形態に係る電解水散布装置Ｄは、第１実施形態に係る電解水散布装置Ｄと比して、給水タンク１５ａの水量が少ない場合に、非排水動作受付部２６への入力を無効とする点で相違する。
【００５９】
以下、第３実施形態に係る電解水散布装置Ｄについて、第１実施形態及び第２実施形態に係る電解水散布装置Ｄと相違する点を中心に説明する。第１実施形態及び第２実施形態に係る電解水散布装置Ｄと同一の構成については、同一の符号を付し説明を省略する。
【００６０】
図１０は、第３実施形態に係る電解水散布装置Ｄにおける電解水生成部５の詳細な機能をブロックで示した機能ブロック図である。給水タンク１５ａには、給水タンク１５ａにある水の量を検知する水量検知部３４が設けられている。水量検知部３４は、例えば、給水タンク１５ａの重量を測定することにより、給水タンク１５ａの水量を検知する。
【００６１】
図１１は、電解水散布装置Ｄの差込プラグがコンセントに差され、制御部３０への通電が開始されたときに制御部３０により実行される排水表示処理を示すフローチャートである。この排水表示処理が、第１実施形態に係る排水表示処理と相違する点は、Ｓ２の排水表示部２１による貯水部１４の排水を促がす旨の表示を行う処理のち、Ｓ２１の処理が実行される点である。
【００６２】
具体的には、Ｓ２１の処理では、水量検知部３４の検知結果に基づいて、給水タンク１５ａ内の水量が水量閾値以上かを判断する（Ｓ１１）。その結果、当該水量が水量閾値以上である場合は（Ｓ２１：Ｙｅｓ）、排水表示処理では、第１実施形態と同じＳ３〜Ｓ６の処理を実行する。
【００６３】
一方、Ｓ２１の処理の結果、給水タンク１５ａ内の水量が水量閾値未満である場合は（Ｓ２１：Ｎｏ）、排水表示処理では、第２実施形態と同じＳ１２〜Ｓ１４の処理を実行する。
【００６４】
これにより、第３実施形態に係る電解水散布装置Ｄでは、給水タンク１５ａ内の水量が少ない場合、貯水部１４の排水を行うことなく電解部１７による電解水の生成動作を可能とする旨の入力を受け付ける非排水動作受付部２６の入力を、受け付けなくすることができる。ここで、給水タンク１５ａ内の水量が少ない場合は、電解水散布装置Ｄが長時間放置されたことにより、貯水部１４の水が揮発して貯水部１４の水位が下がり、それを補充するために給水タンク１５ａの水が貯水部１４へ供給されたものと想定される。即ち、貯水部１４内の水の状態が悪い可能性がある。よって、このような場合は、ユーザに対して必ず排水作業を行わせることができるので、貯水部１４内の水の状態を確実によくすることができる。従って、電解水散布装置Ｄの性能を確保できる。
【００６５】
なお、Ｓ２１の処理において、水量検知部３４の検知結果に基づいて、給水タンク１５ａ内の水量が水量閾値以上かを判断したが、水量検知部３４の検知結果に基づいて、給水タンク１５ａ内の水量が水量閾値を超えたかを判断してもよい。
【００６６】
また、給水タンク１５ａ内の水量が水量閾値未満の場合に、非排水動作受付部２６の入力を受け付けないようにしたが、非排水動作受付部２６の入力が受け付けられた場合に、給水タンク１５ａ内の水量が水量閾値未満であれば、すぐに、貯水部１４の排水を促がす旨の表示を排水表示部２１にて行うようにしてもよい。これによっても、第３実施形態の電解水散布装置Ｄと同様の効果を得ることができる。
【００６７】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【産業上の利用可能性】
【００６８】
本発明に係る電解水散布装置は、空気中の細菌、真菌、ウイルス、臭い等の除去（不活性化を含む）を行う電解水散布装置として有用である。
【符号の説明】
【００６９】
Ｄ    電解水散布装置
１    本体ケース
２    吸気口
３    開閉部
５    電解水生成部
６    吹出口
７    送風部
１４    貯水部
１６    フィルター部
１７    電解部
１９    散布部
２１    排水表示部
２６    非排水動作受付部
３０    制御部
３１    渇水検知部
３２    排水検知部
３３    導電率検知部
３４    水量検知部
【図１】
2019025218.tif 000003
【図２】
2019025218.tif 000004
【図３】
2019025218.tif 000005
【図４】
2019025218.tif 000006
【図５】
2019025218.tif 000007
【図６】
2019025218.tif 000008
【図７】
2019025218.tif 000009
【図８】
2019025218.tif 000010
【図９】
2019025218.tif 000011
【図１０】
2019025218.tif 000012
【図１１】
2019025218.tif 000013